(57)【要約】【課題】    施工作業性が良好で、局所的な上載荷重にも対応出来、貯留空間内の雨水の貯留量を所望の一定量、確保出来る雨水流出抑制施設を提供する。【解決手段】  雨水等を一時貯留する貯留部２内に縦横かつ上下に連設して、貯留空間２６を形成する充填部材２７…を有する雨水流出抑制施設２０である。  各充填部材２７の直上には、各充填部材２７に対応して、個別に平板状の補強部材３０，３０が、２枚積層されて一体となるように接着された補強体４０として載置されている。【選択図】図１
2006083556.tif 000002
【特許請求の範囲】
【請求項１】
雨水等を一時貯留する貯留部内に充填部材を縦横かつ上下に連設して、貯留空間を形成
する雨水流出抑制施設において、
前記充填部材のうち、最上部の充填部材の直上には、各充填部材に対応して、個別に平
板状の補強部材が載置されていることを特徴とする雨水流出抑制施設。
【請求項２】
前記補強部材は、合成樹脂製材料で構成され、前記充填部材と平面視で同一形状であり
、四隅に鉛直荷重を伝えることを特徴とする請求項１記載の雨水流出抑制施設。
【請求項３】
前記補強部材は、２枚以上積層されて用いられることを特徴とする請求項１又は２記載
の雨水流出抑制施設。
【請求項４】
前記補強部材を、前記貯留部の底面部に敷設して、下方から前記充填部材を支持する板
状支持部材と同一形状に形成することを特徴とする請求項１乃至３のうち何れか一項記載
の雨水流出抑制施設。
【発明の詳細な説明】
【技術分野】
【０００１】
この発明は、降雨時に、雨水を一時貯留して、浸透又は排水させることにより、河川や
下水道施設への負荷を低減させる雨水流出抑制施設に関するものである。
【背景技術】
【０００２】
従来、図２０及び図２１に示すような雨水流出抑制施設が、知られている（例えば、特
許文献１等参照）。
【０００３】
まず、構成から説明すると、この従来の雨水流出抑制施設では、地面１を掘り下げて凹
設された貯留部２が形成されている。
【０００４】
この貯留部２は、雨水等を一時貯留するため、側壁面及び底面が、被覆シート３によっ
て覆われている。
【０００５】
また、この貯留部２内には、縦横かつ上下に連設して、貯留空間４を形成する図２１に
示すような充填部材５…が、複数個設けられている。
【０００６】
この充填部材５は、上，下何れかの一側面５ａを開口させる略中空箱型形状を呈して、
各側壁面５ｂ…又は底面５ｃに、複数の連通孔５ｄ…又は５ｅ…が、縦横に配列されて形
成されている。
【０００７】
そして、これらの充填部材５…の上部は、合成樹脂製ネットからなる面状材６…と、被
覆土７…とが交互に積層されることによって覆われている。
【０００８】
また、図２２に示すように、複数の支柱要素８…によって、リブ部材９，１０を支持す
る充填部材１１も知られている（例えば、特許文献２等参照）。
【０００９】
次に、この従来の雨水流出抑制施設の作用について説明する。
【００１０】
このように構成された従来の図２０及び図２１に記載された雨水流出抑制施設では、降
雨により、雨水が、前記貯留部２に形成される貯留空間４内に浸入すると、これらの雨水
が、この貯留空間４内に一時的に留まる。
【００１１】
このため、一度に大量の雨が降っても、この雨水流出抑制施設の貯留部２に形成される
貯留空間４内に一時貯留されて、河川や下水道施設等の豪雨による急激な増水を緩和する
ことができる。
【００１２】
また、図２２に示す従来の充填部材１１では、複数の支柱要素８…によって、前記リブ
部材９，１０等が連結されて支持されている。
【００１３】
このため、所定の上載荷重が、これらの充填部材１１に上方から加わっても、前記各支
柱要素８…に上載荷重が分散されて、充分な支持剛性が得られる。
【特許文献１】特開２０００−１９９２４６号公報（段落００１９乃至００３５、図１，図２）
【特許文献２】特許第３１９８４７９号（段落００１８乃至００４２、図１，図２）
【発明の開示】
【発明が解決しようとする課題】
【００１４】
しかしながら、このような従来の雨水流出抑制施設では、例えば、図２０及び図２１に
示すようなものでは、前記貯留空間４の上面部略全面を覆うように、前記面状材６…と、
被覆土７…とを交互に積層しなければ、局所的な上載荷重を分散して地表面の沈没を防止
することが出来ない。
【００１５】
このため、施工時に、幾層にも亘り、前記面状材６…と、被覆土７…とを交互に埋め戻
さなければならず、作業効率が良好であるとは言い難かった。
【００１６】
また、前記被覆土７の厚さが薄い場合には、充分な効果が得られない虞もあった。
【００１７】
更に、前記貯留部２の上方の一部に、道路や駐車場等がかかり、車両等が進入するよう
な場合には、部分的に前記面状材６を多く設置することが考えられる。
【００１８】
この場合でも、面状材６を被覆土７と交互に敷設するのに費用がかかると共に、敷設箇
所によっては、多くの面状材６を敷設できない場合もあった。
【００１９】
更に、図２２に示すような従来のものでは、上載荷重に対して、支柱要素８…の本数を
増大させて対応させると、これらの支柱要素８の容量の増大分、貯留空間内の雨水の貯留
量が減少してしまうといった問題もあった。
【００２０】
そこで、この発明は、施工作業性が良好で、局所的な上載荷重にも対応出来、貯留空間
内の雨水の貯留量を所望の一定量、確保出来る雨水流出抑制施設を提供することを課題と
している。
【課題を解決するための手段】
【００２１】
上記目的を達成するために、請求項１に記載された発明は、雨水等を一時貯留する貯留
部内に充填部材を縦横かつ上下に連設して、貯留空間を形成する雨水流出抑制施設におい
て、前記充填部材のうち、最上部の充填部材の直上には、各充填部材に対応して、個別に
平板状の補強部材が載置されている雨水流出抑制施設を特徴としている。
【００２２】
また、請求項２に記載されたものは、前記補強部材は、合成樹脂製材料で構成され、前
記充填部材と平面視で同一形状であり、四隅に鉛直荷重を伝える請求項１記載の雨水流出
抑制施設を特徴としている。
【００２３】
更に、請求項３に記載されたものは、前記補強部材は、２枚以上積層されて用いられる
請求項１又は２記載の雨水流出抑制施設を特徴としている。
【００２４】
そして、請求項４に記載されたものは、前記補強部材を、前記貯留部の底面部に敷設し
て、下方から前記充填部材を支持する板状支持部材と同一形状に形成する請求項１乃至３
のうち何れか一項記載の雨水流出抑制施設を特徴としている。
【発明の効果】
【００２５】
このように構成された本願発明の請求項１記載のものは、前記充填部材のうち、最上部
の充填部材の直上に個別に載置されている平板状の補強部材に、上載荷重が上方から加わ
ると、前記貯留空間を構成する前記縦横かつ上下に連設された各充填部材に、該上載荷重
が分散されて、下方から支持される。
【００２６】
このため、局所的な上載荷重も、分散されて広い面積で受け止められて、想定される様
々な上載荷重に対して、充分な支持剛性が得られ、地表面の沈没を防止することが出来る
。
【００２７】
また、平板状の補強部材を前記縦横かつ上下に連設された充填部材の真上に載置するだ
けで、被覆土を埋め戻すことができるので、施工作業性が良好である。
【００２８】
更に、被覆土の厚さに拘わらず、所望の支持剛性が得られるので、敷地対応性が良好で
ある。
【００２９】
そして、前記充填部材の真上に前記補強部材が載置されるので、貯留空間の容量を減少
させる虞がなく、所望の貯留空間内の雨水の貯留量を容易に確保出来る。
【００３０】
また、請求項２に記載されたものは、前記補強部材が、合成樹脂製材料で構成されてい
るので、軽量で、かつ充分な剛性を有する補強部材を、人力で施工可能とすることができ
る。又、前記充填部材と同一平面形状で、四隅に鉛直荷重を伝えることができるので、よ
り大きな支持強度が得られる。
【００３１】
更に、裏面側をリブ構造とすることにより、より軽量で、かつ撓みに強い充分な剛性を
得られる。
【００３２】
また、成型が容易で、量産により製造コストを減少させることが出来る。
【００３３】
更に、請求項３に記載されたものは、前記補強部材が、２枚以上積層されて用いられる
ので、被覆土の厚さに拘わらず、所望の強度を得られる。
【００３４】
即ち、被覆土の厚さが薄い場合でも、対応できる強度を確保できる。
【００３５】
また、１枚で同じ２枚以上を積層した厚みを有する補強部材を個別に成型する場合に比
して、製造コストの増大を抑制出来る。
【００３６】
そして、請求項４に記載されたものは、前記補強部材が、前記貯留部の底面部に敷設さ
れて、下方から前記充填部材を支持する板状支持部材と同一形状に形成されている。
【００３７】
このため、前記板状支持部材と、該補強部材とを同一のものを用いて共用することが出
来、更に、製造コストの増大が抑制される。
【発明を実施するための最良の形態】
【００３８】
次に、図面に基づいて、この発明を実施するための最良の実施の形態の雨水流出抑制施
設を説明する。
【００３９】
なお、前記従来例と同一乃至均等な部分については同一符号を付して説明する。
【００４０】
図１乃至図１９は、この発明の実施の形態の雨水流出抑制施設を説明するものである。
【００４１】
まず、構成を説明すると、この発明の実施の形態の雨水流出抑制施設２０は、図４に示
すように、歩道２１の側溝部２１ａ、学校２２の校庭２２ａ、公園２３、駐車場２４、若
しくは、雨水管２５ａを有する建物２５等の敷地の地面１を掘り下げて貯留部２が、凹設
形成されることにより、設けられるものである。
【００４２】
これらの雨水流出抑制施設２０の貯留部２では、図１に示すように、底面部２ａの中央
部が更に、一段深く掘り下げられて、Ｕ字溝２ｄを設置する溝部２ｃが形成されている。
【００４３】
そして、雨水等を一時貯留するため、底面部２ａ及び側壁面部２ｂが、被覆シート３に
よって覆われていると共に、この貯留部２内に、縦横かつ上下に連設されて、充填部材２
７…が、複数個設けられて、貯留空間２６が形成されている。
【実施例１】
【００４４】
図１乃至図１４は、実施例１の雨水流出抑制施設２０を示している。
【００４５】
この実施例１の雨水流出抑制施設２０では、前記充填部材２７が、図６及び図７に示す
ように、ポリプロピレン等の合成樹脂製材料で構成されていて、水平面に対して、一定の
傾斜角度（この実施例１では、約５度程度）で傾斜する上面視略正方形形状の傾斜板部２
７ａと、この傾斜板部２７ａの四隅に一体に形成されて、上部に連設される他の充填部材
２７…及び後述する補強部材３０，３０等の荷重を支持する４本の支持脚柱部２７ｂ，２
７ｂ…とを有して、主に構成されている。
【００４６】
このうち、前記傾斜板部２７ａは、一辺を約０．５〜１．２ｍ、厚みを約４〜５ｍｍ程
度として、人力で持ち運び可能な大きさと重さとなるように構成されていると共に、前記
傾斜角度によって、流入した雨水を、図中矢印に示す所定の方向ｓに導くように、一辺の
両隅に位置する前記支持脚柱部２７ｂ，２７ｂ間から反対側の一辺の支持脚柱部２７ｂ，
２７ｂ間に向けて下降するように傾斜された状態で固着されている。
【００４７】
この傾斜板部２７ａの裏面側には、所定の間隔で、縦横に一体となるように立設される
ことにより、格子状を呈する複数の補強リブ部２７ｃ…が形成されている。
【００４８】
また、前記支持脚柱部２７ｂは、各々略直角二等辺三角形形状を呈していて、三角筒柱
状を呈する上部柱部２７ｄの内側に内嵌されて、連設可能なように略三角状に連結片が立
設された下部柱部２７ｅが形成されている。
【００４９】
更に、この実施例１では、図１及び図２に示すように、上下に連設される前記充填部材
２７，２７の支持脚柱部２７ｂ，２７ｂ間に装着されて、前記傾斜板部２７ａの高さ位置
を調整可能な連結部材２８…が設けられている。
【００５０】
この連結部材２８は、上面視略直角二等辺三角形形状の三角柱形状を呈し、図８乃至図
１１に示すように、前記下部柱部２７ｅが内嵌されて連結される上部連結部２８ａ及び前
記上部柱部２７ｄが外嵌される下部連結部２８ｂとが、一体に設けられている。
【００５１】
また、この連結部材２８には、外側の直交する２面の垂直面２８ｅ，２８ｆのうち、一
方の垂直面２８ｅに、接合凸部２８ｃが突設されている。
【００５２】
更に、この連結部材２８の外側の直交する２面の垂直面２８ｅ，２８ｆのうち、他方の
垂直面２８ｆには、隣接配置される他の連結部材２８の接合凸部２８ｃが、挿通されて嵌
着される接合孔部２８ｄが、開口形成されている。
【００５３】
そして、これらの充填部材２７…のうち、最上部に位置して、縦横に並設される充填部
材２７の直上には、各充填部材２７に対応して、個別に平板状の補強部材３０が載置され
ている。
【００５４】
この実施例１の補強部材３０は、図１２乃至図１４に示すように、ポリプロピレン等の
合成樹脂製材料で構成されていて、上面視略正方形形状の水平板部３０ａと、この水平板
部３０ａの裏面側の四隅に形成される連結部３０ｂ…と、この裏面側に所定の間隔で、縦
横に一体となるように立設されることにより、格子状を呈する複数の補強リブ部３０ｃ…
とを有して主に構成されている。
【００５５】
このうち、前記水平板部３０ａは、一辺を約０．５〜１．２ｍとして、前記充填部材２
７の傾斜板部２７ａと略同じ大きさとすると共に、上載加重が上方から加わっても、容易
に撓まない所定の厚さ（この実施例１では、約４〜５ｍｍ以上）を有して、人力で持ち運
び可能な大きさと重さとなるように構成されている。
【００５６】
また、この水平板部３０ａには、空気及び雨水が上下方向に連通されるように、複数の
小穴３０ｄ…が、所定の間隔を置いて形成されている。
【００５７】
そして、前記連結部３０ｂ…は、略直角二等辺三角形形状の連結開口部に、前記連結部
材２８の前記下部連結部２８ｂ…が各々嵌着されることにより、連設可能に構成されてい
る。
【００５８】
すなわち、この実施例１では、図５に示すように、前記補強部材３０の裏面側を上方に
向けることにより、この補強部材３０が、前記貯留部２の底面部２ａに敷設されて、下方
から前記充填部材２７を支持する板状支持部材５０と同一形状に形成されることにより、
共用されている。
【００５９】
更に、この実施例１の前記補強部材３０，３０は、前記充填部材２７の真上に載置され
る際、２枚積層されて、四隅近傍が、溶着されることにより、補強体４０が構成されてい
る。２枚の積層一体化の方法は、溶着に限らず、機械的嵌合等、一体化可能であればよい
。
【００６０】
この補強体４０と、前記充填部材２７との間には、上側連結部材３８…が介在されて、
これらの補強体４０の下側に設けられる補強部材３０と、前記充填部材２７との間を連設
可能としている。
【００６１】
この上側連結部材３８は、上面視略直角三角形形状の中空三角柱形状を呈していて、上
下両側面に、前記補強部材３０の連結部３０ｂ又は、前記充填部材２７の上部柱部２７ｂ
に対して内嵌されて、接続される嵌着部３８ａ，３８ａが、フランジ部３８ｂを挟んで各
々形成されている。
【００６２】
次に、この実施例１の雨水流出抑制施設の作用について説明する。
【００６３】
まず、この実施例１の雨水流出抑制施設の施工順序に沿って説明すると、この雨水流出
抑制施設を構築する際、前記貯留部２を地面１に掘削後、この実施例１では、図３に示す
ように、この貯留部２の上流側に、上流側雨水マス４１，４２が、又、貯留部２の下流側
に下流側雨水マス４３が各々設置される。
【００６４】
そして、図１に示すように、底面部２ａに遮水シート３ａが敷設されて、前記溝部２ｃ
の一段下がった部分にＵ字溝２ｄが、前記上流側雨水マス４２から、下流側雨水マス４３
方向に向けて延設されて設置される。
【００６５】
そして、この上から前記補強部材３０と同一形状の前記板状支持部材５０が、前記補強
部材３０の裏面側を上向きに反転させたような状態で、縦横に並べて敷き詰められる。
【００６６】
次に、これらの板状支持部材５０の裏面側に形成された連結部３０ｂ…に、図８及び図
９に示す連結部材２８…を嵌着させる。
【００６７】
この際、隣接される前記板状支持部材５０，５０の各隅部の連結部材２８，２８同士は
、図１０及び図１１に示されるように、前記垂直面２８ｅに突設形成された接合凸部２８
ｃが、対向する垂直面２８ｆに形成された他の連結部材２８の接合孔部２８ｄに挿通され
て嵌着される。
【００６８】
このため、縦横に隣接配置される各板状支持部材５０，５０間も、連結されることによ
り、垂直剪断方向への個別の板状支持部材５０の沈み込みが防止される。
【００６９】
更に、この連結部材２８…の上から、図２に示すように、前記充填部材２７…及び連結
部材２８…が、交互又は連続して積層される。
【００７０】
この際、前記充填部材２７の支持脚柱部２７ｂに形成された上，下柱部２７ｄ，２７ｅ
が、積層される支持脚柱部２７ｂの上，下柱部２７ｄ，２７ｅ又は、前記連結部材２８の
上，下部連結部２８ａ，２８ｂと嵌合される。
【００７１】
このため、上下方向で、充填部材２７…が、直接又は、前記連結部材２８…を介して、
適宜高さが調整されながら積層されて連設される。
【００７２】
更に、この実施例１では、前記充填部材２７と、充填部材２７との間に介在される各隅
部の連結部材２８，２８同士が、図１０及び図１１に示されるように、前記垂直面２８ｅ
に突設形成された接合凸部２８ｃが、対向する垂直面２８ｆに形成された他の連結部材２
８の接合孔部２８ｄに挿通されて嵌着される。
【００７３】
このため、この連結部材２８の上下に位置して、縦横に隣接配置される各充填部材２７
，２７間も、縦横方向で連結されることになり、垂直剪断方向への個別の各充填部材２７
の沈み込みが防止される。
【００７４】
従って、更に、上載荷重に対して、充分な支持剛性が得られる。
【００７５】
そして、最も上部に位置する充填部材２７の載置が終了した状態で、図５に示すように
、この充填部材２７の上部柱部２７ｄ…に、各々前記上側連結部材３８…の下側の嵌着部
３８ａ…を嵌着させると共に、予め２枚の前記補強部材３０，３０が積層されて溶着され
た前記補強体４０を、更に上方から載置する。
【００７６】
この際、この前記上側連結部材３８…の上側の嵌着部３８ａ…に、前記補強部材３０の
裏面側に形成された連結部３０ｂ…を各々嵌着させる。
【００７７】
このため、前記平板状の補強部材３０，３０が積層されて構成される補強体４０が、図
１又は図２に示すように、前記充填部材２７の真上に、前記上側連結部材３８…を介在さ
せて個別に載置される。
【００７８】
更に、これらの複数の充填部材２７…及び補強体４０…で構成される貯留部２は、被覆
シート３ａで覆われて、雨水等が、一定量一時貯留されるようになる。
【００７９】
この被覆シート３ａの上面側には、再び、所定の厚さの被覆土７が載せられて埋め戻さ
れて、敷地の他の部分の地面１の高さと略面一となるように地表の高さが調整されて、略
施工が完了する。
【００８０】
このように施工されたこの実施例１の雨水流出抑制施設２０では、降雨により、雨水が
、前記貯留部２に形成される貯留空間２６内に、前記上流側雨水マス４１，４２等から浸
入すると、これらの雨水が、この貯留空間２６内に一時的に留まる。
【００８１】
このため、一度に大量の雨が降っても、この雨水流出抑制施設２０の貯留部２に形成さ
れる貯留空間２６内に、一定容量を超えるまで一時貯留されて、河川や下水道施設等の豪
雨による急激な増水を緩和することができる。
【００８２】
そして、前記充填部材２７び傾斜板部２７ａに形成された一定の傾斜角度によって、上
流側雨水マス４１，４２等から浸入した雨水と共に、砂礫が、前記Ｕ字溝２ｄ方向に集積
される。このため、メンテナンス性も良好である。
【００８３】
また、前記充填部材２７の直上に個別に載置されている平板状の補強部材３０に、上載
荷重が、上方から加わると、平板状の水平板部３０ａ，３０ａの四隅に分散されたこの上
載荷重が、前記貯留空間２６を構成する前記縦横かつ上下に連設された各充填部材２７…
の四隅に位置する各支持脚柱部２７ｂ…に伝達される。
【００８４】
これらの各支持脚柱部２７ｂに嵌着されている前記連結部材２８…は、隣接配置される
他の連結部材２８と、前記接合凸部２８ｃと接合孔部２８ｄとを挿通させて嵌着されてい
るので、この連結部材２８…を介して、上下方向のみならず、縦横方向にも、この上載荷
重が分散されて下方の充填部材２７…に伝達されて、最も下方に位置する前記板状支持部
材５０…によって下方から支持される。
【００８５】
このため、局所的な上載荷重も、分散されて、前記貯留部２の底面部２ａの略全面に近
い広い面積で、受け止められて、想定される様々な上載荷重に対して、充分な支持剛性が
得られ、地表面の沈没を防止することが出来る。
【００８６】
また、平板状の補強部材３０を、前記縦横かつ上下に連設された充填部材２７の真上に
載置させるだけで、被覆土７を埋め戻すことができる。被覆土７の埋め戻しは、一層で良
いので、従来のように、幾層にも亘り、前記面状材６…と、被覆土７…とを交互に埋め戻
さなければならないものに比して、施工作業性が良好である。
【００８７】
更に、被覆土７の厚さに拘わらず、所望の支持剛性が得られるので、敷地対応性が良好
である。
【００８８】
そして、前記充填部材２７の真上に前記補強部材３０が載置されるので、貯留空間２６
の容量を減少させる虞がなく、所望の貯留空間２６内の雨水の貯留量を容易に確保出来る
。
【００８９】
また、前記補強部材３０が、合成樹脂製材料で構成されているので、軽量で、かつ充分
な剛性を有する補強部材３０を、人力で施工可能とすることができる。
【００９０】
この実施例１では、更に、良好な強度を得るため、補強部材３０，３０を、予め２枚積
層して、四隅近傍を溶着することにより、補強体４０を構成しているが、このように２枚
となっても、人力で施工可能とする重量内に納めることができる。
【００９１】
更に、この実施例１では、前記補強部材３０の裏面側が、図１４に示すように所定の間
隔で、縦横に一体となるように、複数の補強リブ部３０ｃ…が立設されることにより、格
子状を呈するリブ構造とされているので、より軽量で、かつ、上載荷重に対する撓みに強
い充分な剛性を得られる。
【００９２】
また、合成樹脂製材料で構成されているので、射出成形等の成型が容易で、量産により
製造コストを減少させることが出来る。
【００９３】
更に、前記補強部材３０，３０が、２枚以上積層されて用いられるので、被覆土７の厚
さに拘わらず、所望の強度を得られる。
【００９４】
また、地表面の高さや、被覆土７の状態等に応じて、局所的に補強部材３０…の積層さ
れる枚数の設定を変更することができる。
【００９５】
この際、１枚で同じ２枚以上を積層した厚みを有する補強部材を個別に成型する場合に
比して、同一射出成形型で形成される前記補強部材３０…を用いることができるので、複
数の成型金型が不要となり、製造コストの増大を抑制出来る。
【００９６】
しかも、この実施例１では、予め前記補強部材３０，３０が、２枚積層されて、四隅近
傍が、溶着されることにより、補強体４０となるように構成されている。
【００９７】
従って、上下に、前記格子状を呈する補強リブ部３０ｃ，３０ｃが、２層となるように
積層形成された補強体４０が、一体物となって得られて、単に補強リブ部３０ｃの形成高
さや補強部材３０の厚さを増大させて強度を向上させようとするものに比して、補強効率
が良好で、対重量剛性向上率を向上させて、飛躍的に強度を高めることができる。
【００９８】
そして、この実施例１では、前記補強部材３０が、前記貯留部２の底面部２ａに敷設さ
れて、下方から前記充填部材２７…等を支持する板状支持部材５０と同一形状に形成され
ている。
【００９９】
このため、前記板状支持部材５０と、前記補強部材３０とを同一のものを用いて共用す
ることが出来、射出成形に用いる金型も、１つで済み、更に、製造コストの増大が抑制さ
れる。
【０１００】
更に、この実施例１の前記補強部材３０の水平板部３０ａには、複数の小穴３０ｄ…が
、所定の間隔を置いて形成されている。このため、前記貯留空間２６内の雨水が、増減し
ても、空気及び雨水が、これらの小穴３０ｄ…を介して、前記補強部材３０の上下方向に
連通される。
【０１０１】
従って、浮力等を発生させる空気又は雨水の圧力等が、この水平板部３０ａの上下方向
に加わる虞を減少させることが出来る。
【実施例２】
【０１０２】
図１５乃至図１７は、この発明の実施例２の雨水流出抑制施設に用いられる補強部材１
３０を示すものである。
【０１０３】
なお、前記実施例１と同一乃至均等な部分については同一符号を付して説明する。
【０１０４】
まず、構成から説明すると、この実施例２の補強部材１３０では、上面視略正方形形状
を呈する補強板材本体１３０ａの裏面側周縁部に、各辺に沿って、２対、４本のＣ型鋼部
材１３０ｂ，１３０ｂ及び１３０ｃ，１３０ｃが外側に向けて開放される面を向けて固着
されている。
【０１０５】
また、この補強板材本体１３０ａの裏面側には、角パイプ部材１３０ｄ及び１３０ｅ，
１３０ｅが、略中央部で交差するように、前記対向するＣ型鋼部材１３０ｂ，１３０ｂ及
び１３０ｃ，１３０ｃの各中央部間を連結するように固着されている。
【０１０６】
更に、これらの補強板材本体１３０ａ、Ｃ型鋼部材１３０ｂ，１３０ｃ、角パイプ部材
１３０ｄ，１３０ｅは、表面側にアクリル焼き付け塗装等の腐食、錆防止処理が施されて
いる。
【０１０７】
次に、この実施例２の作用について説明する。
【０１０８】
このように構成された実施例２の雨水流出抑制施設の補強部材１３０は、最も上部に位
置する前記充填部材２７の真上に載置される。  
【０１０９】
他の構成、及び作用効果については、前記実施例１と略同様であるので、説明を省略す
る。
【実施例３】
【０１１０】
図１８及び図１９は、この発明の実施例３の雨水流出抑制施設に用いられる補強部材２
３０を示すものである。なお、前記実施例１及び２と同一乃至均等な部分については同一
符号を付して説明する。
【０１１１】
まず、構成から説明すると、この実施例３の雨水流出抑制施設に用いられる補強部材２
３０は、鉄筋コンクリート製で、内部に、縦横に一定間隔を置いて交差するように配筋さ
れた複数の鉄筋部材２３０ａ…が、プレキャストコンクリートによって、充填硬化されて
形成された補強コンクリート板材２３０ｂによって、略全面が覆われて、主に構成されて
いる。
【０１１２】
また、この補強コンクリート板材２３０ｂの裏面側の四隅には、前記上側連結部材３８
…の上側の嵌着部３８ａ…を各々嵌着させる略直角二等辺三角形形状の連結部２３０ｃ…
が各々凹設形成されている。
【０１１３】
次に、この実施例３の雨水流出抑制施設の作用について説明する。
【０１１４】
この実施例３の雨水流出抑制施設の補強部材２３０は、最も上部に位置する前記充填部
材２７の真上に載置される。
【０１１５】
この際、前記充填部材２７との間に介在される前記上側連結部材３８…の各嵌着部３８
ａ，３８ａに、前記補強部材２３０の裏面側に凹設された連結部２３０ｃ，２３０ｃを各
々嵌着させる。
【０１１６】
この実施例３では、前記補強部材２３０の補強コンクリート板２３０ｂが、プレキャス
トコンクリートで構成されているので、施工現場に置いて養生等の必要が無く、施工時間
を短縮出来ると共に、施工性も良好である。
【０１１７】
また、現場打ちによる鉄筋コンクリートを設定することにより、これらの補強部材２３
０…を、この雨水流出抑制施設の全面若しくは、いくつかの領域で一体化させることもで
きる。
【０１１８】
この場合、更に、前記補強部材２３０及び地表の撓みを抑制させることができる。
【０１１９】
他の構成、及び作用効果については、前記実施例１又は２と略同様であるので、説明を
省略する。
【０１２０】
以上、図面を参照して、本発明の実施の形態及び実施例１乃至３を詳述してきたが、具
体的な構成は、この実施の形態に限らず、本発明の要旨を逸脱しない程度の設計的変更は
、本発明に含まれる。
【０１２１】
即ち、前記実施の形態では、実施の形態の雨水流出抑制施設２０では、前記充填部材２
７が、ポリプロピレン等の合成樹脂製材料で構成されているが、特にこれに限らず、例え
ば、ポリエチレン、塩化ビニル、ポリエチレンレテフタレート等の合成樹脂製材料で構成
されていてもよい。
【０１２２】
また、前記補強部材３０が、ポリプロピレン等の合成樹脂製材料で構成されているが、
特にこれに限らず、例えば、ポリエチレン、塩化ビニル、ポリエチレンレテフタレート等
の合成樹脂製材料で構成されていても良く、前記充填部材２７の直上に、各充填部材２７
に対応して、個別に載置されていれば、形状、数量、及び材質が特に限定されるものでは
ない。
【図面の簡単な説明】
【０１２３】
【図１】この発明の最良の実施の形態で、実施例１の雨水流出抑制施設で、充填部材が連設された貯留部の内部の構成を説明する図３中Ａ−Ａ線に沿った位置での縦面図である。
【図２】実施例１の雨水流出抑制施設で、要部の構成を説明する雨水流出抑制施設内の一部の積層構造を説明する側面図である。
【図３】実施例１の雨水流出抑制施設で、全体の構成を説明する一部断面分解斜視図である。
【図４】実施例１の雨水流出抑制施設が用いられる様々な態様を説明する模式的な一部断面斜視図である。
【図５】実施例１の雨水流出抑制施設に用いられる充填部材と補強部材との積層構造を説明し、積層途中を一部省略した分解斜視図である。
【図６】実施例１の雨水流出抑制施設で、充填部材の上面側の構成を説明する斜視図である。
【図７】実施例１の雨水流出抑制施設で、充填部材の下面側の構成を説明する斜視図である。
【図８】実施例１の雨水流出抑制施設に用いられる連結部材の斜視図である。
【図９】実施例１の雨水流出抑制施設に用いられる連結部材の下部連結部を示す斜視図である。
【図１０】実施例１の雨水流出抑制施設で、隣接配置された連結部材間の嵌着の様子を説明する斜視図である。
【図１１】実施例１の雨水流出抑制施設で、４つの隣接配置された連結部材が突き合わされた部分での嵌着の様子を説明する斜視図である。
【図１２】実施例１の雨水流出抑制施設に用いられる補強部材の上面図である。
【図１３】実施例１の雨水流出抑制施設に用いられる補強部材を２枚積層して接着した補強体の側面図である。
【図１４】実施例１の雨水流出抑制施設で、補強部材の下面図である。
【図１５】実施例２の雨水流出抑制施設に用いられる補強部材の上面図である。
【図１６】実施例２の雨水流出抑制施設に用いられる補強部材の側面図である。
【図１７】実施例２の雨水流出抑制施設に用いられる補強部材の下面図である。
【図１８】実施例３の雨水流出抑制施設に用いられる補強部材の上面図である。
【図１９】実施例３の雨水流出抑制施設に用いられる補強部材で、図１８中Ｂ−Ｂ線に沿った位置での断面図である。
【図２０】一従来例の雨水流出抑制施設に用いられる充填部材の構成を説明する斜視図である。
【図２１】一従来例の雨水流出抑制施設で、全体の構成を説明する敷地内貯留部の縦断面図である。
【図２２】他の従来例の雨水流出抑制施設に用いられる支柱要素を有する充填部材の断面図である。
【符号の説明】
【０１２４】
１            地面
２            貯留部
２ａ          底面部
３            被覆シート
２０          雨水流出抑制施設
２６          貯留空間
２７          充填部材
３０，１３０，２３０
補強部材
５０          板状支持部材
【図１】
2006083556.tif 000003
【図２】
2006083556.tif 000004
【図３】
2006083556.tif 000005
【図４】
2006083556.tif 000006
【図５】
2006083556.tif 000007
【図６】
2006083556.tif 000008
【図７】
2006083556.tif 000009
【図８】
2006083556.tif 000010
【図９】
2006083556.tif 000011
【図１０】
2006083556.tif 000012
【図１１】
2006083556.tif 000013
【図１２】
2006083556.tif 000014
【図１３】
2006083556.tif 000015
【図１４】
2006083556.tif 000016
【図１５】
2006083556.tif 000017
【図１６】
2006083556.tif 000018
【図１７】
2006083556.tif 000019
【図１８】
2006083556.tif 000020
【図１９】
2006083556.tif 000021
【図２０】
2006083556.tif 000022
【図２１】
2006083556.tif 000023
【図２２】
2006083556.tif 000024